(57)【要約】【課題】パネルのコーナー部の防水作業性を向上することができる防水構造、防水構造の形成方法、防水材を提供する。【解決手段】住宅の外壁に使用されるパネル１のコーナー部１００には防水構造が形成されている。この防水構造は、防水材１０から構成されている。この防水材１０は、コーナー部１００の裏面１ａと、裏面１ａに隣接する二つの側面とに接着して当該三面を覆うように形成された成形品である。【選択図】図３
2015074904.tif 000002
【特許請求の範囲】
【請求項１】
パネルのコーナー部を防水材により防水する防水構造であって、
前記防水材は、前記コーナー部の表面または裏面のいずれか一方の面と当該面に隣接する二つの側面とに接着して当該三面を覆うように形成された成形品であることを特徴とする防水構造。
【請求項２】
請求項１に記載の防水構造において、
前記防水材が、ホットメルト接着剤から形成されたものであることを特徴とする防水構造。
【請求項３】
請求項１に記載の防水構造において、
前記防水材が、シーリング材で前記コーナー部に接着されるものであることを特徴とする防水構造。
【請求項４】
請求項１に記載の防水構造において、
前記防水材の最外部が、非接着性のシート材により形成されていることを特徴とする防水構造。
【請求項５】
請求項２に記載の防水構造において、
前記防水材の最外部が、前記ホットメルト接着剤よりも溶融温度が高い非接着性のシート材により形成されていることを特徴とする防水構造。
【請求項６】
請求項５に記載の防水構造において、
前記防水材は、前記コーナー部の三面を覆うように形成された前記非接着性のシート材と、当該非接着性のシート材と前記パネルとの間に形成された前記ホットメルト接着剤との二層構造で構成されたものであることを特徴とする防水構造。
【請求項７】
請求項２に記載の防水構造の形成方法であって、
前記コーナー部に前記防水材を仮装着して前記防水材の外側から加熱して前記ホットメルト接着剤を溶融させることにより前記防水材を前記コーナー部に接着することを特徴とする防水構造の形成方法。
【請求項８】
請求項７に記載の防水構造の形成方法において、
前記コーナー部が金属で形成されており、前記コーナー部に仮装着した前記防水材の外側から電磁誘導加熱により前記コーナー部を発熱させて前記ホットメルト接着剤を溶融させることにより前記防水材を前記コーナー部に接着することを特徴とする防水構造の形成方法。
【請求項９】
パネルのコーナー部を防水する防水材であって、
前記防水材は、前記コーナー部の表面または裏面のいずれか一方の面と当該面に隣接する二つの側面とに接着して当該三面を覆うようにホットメルト接着剤から形成された成形品であることを特徴とする防水材。
【請求項１０】
パネルのコーナー部を防水する防水材であって、
前記防水材は、前記コーナー部の表面または裏面のいずれか一方の面と当該面に隣接する二つの側面とに接着して当該三面を覆うように形成された非接着性のシート材と、当該非接着性のシート材の前記パネルと接着される側に形成されたホットメルト接着剤との二層構造で構成された成形品であることを特徴とする防水材。
【発明の詳細な説明】
【技術分野】
【０００１】
本発明は、住宅の外壁や内壁等に使用されるパネルのコーナー部の防水構造、防水構造の形成方法、防水材に関する。
【背景技術】
【０００２】
住宅の外壁や内壁等に使用されるパネルとして、例えば、特許文献１に開示されているパネルが使用されている。このパネルは、芯材である平板状の石膏ボードと、石膏ボードの表面側に貼られた表面側金属板と、石膏ボードの裏面側に貼られた裏面側金属板とを備えている。表面側金属板は石膏ボードの裏面側へ折り曲げられて裏面側金属板に重ねられている。
【０００３】
このようにして形成されたパネルでは、コーナー部において表面側金属板の折り曲げ部分と裏面側金属板との間に隙間が生じる。そのため、この隙間から雨水が入ってパネルの芯材（石膏ボード）に水が浸入しパネルが含水するおそれがある。
【０００４】
そこで、パネルの含水を防止するために、従来の技術では、コーナー部に防水処理を施している。具体的な防水処理としては、防水材としてシーリング材を使用し、このシーリング材を隙間に充填して隙間を塞いでいる。シーリング材とは、不定形の状態で隙間を埋めるように塗布され、その後、硬化する防水材である。
【先行技術文献】
【特許文献】
【０００５】
【特許文献１】特許第４３１３６４５号公報
【発明の概要】
【発明が解決しようとする課題】
【０００６】
しかしながら、シーリング材は硬化するまでに相当の時間を要し、硬化前に他の部材や作業者が触れるとそちらに付着してしまうため、ハンドリングに制約があり、作業性が悪かった。
【０００７】
本発明は、このような従来の課題に鑑みてなされたものであり、パネルのコーナー部の防水作業性を向上することができる防水構造、防水構造の形成方法、防水材を提供することを目的とする。
【課題を解決するための手段】
【０００８】
本発明者等は、鋭意研究の結果、前記課題を解決するために以下のような防水構造、防水構造の形成方法、防水材を採用した。
【０００９】
本発明の請求項１に記載の防水構造は、パネルのコーナー部を防水材により防水する防水構造であって、前記防水材は、前記コーナー部の表面または裏面のいずれか一方の面と当該面に隣接する二つの側面とに接着して当該三面を覆うように形成された成形品であることを特徴とする。
【００１０】
また、本発明の請求項２に記載の防水構造は、請求項１に記載の防水構造において、前記防水材が、ホットメルト接着剤から形成されたものであることを特徴とする。
【００１１】
ホットメルト接着剤とは、周知のように、常温で固体であり接着性がなく、熱（８０〜１５０℃）をかけて融かして接着させる接着剤である。ホットメルト接着剤としては、ベース樹脂であるエチレン・酢酸ビニル共重合樹脂、ポリオレフィン樹脂（ポリプロピレン、ポリエチレン等）、ポリエステル樹脂、ポリウレタン樹脂、アクリル樹脂、ポリアミド樹脂、合成ゴムおよびこれらの変性品に、ロジン、テルペン樹脂などの粘着性付与樹脂、パラフィンワックス、マイクロクリスタリンワックスなどのワックスを添加した物が挙げられる。また、ホットメルト接着剤の厚さは、１００〜５００μｍが好ましい。
【００１２】
また、本発明の請求項３に記載の防水構造は、請求項１に記載の防水構造において、前記防水材が、シーリング材で前記コーナー部に接着されるものであることを特徴とする。
【００１３】
シーリング材とは、前述したように、不定形の状態で隙間を埋めるように塗布され、その後、硬化する防水材である。シーリング材の種類としては、アクリル系、ウレタン系、ポリウレタン系（ノンブリードタイプ）、シリコン系、変成シリコン系、油性コーキング系、ポリサルファイド系が挙げられる。
【００１４】
また、本発明の請求項４に記載の防水構造は、請求項１に記載の防水構造において、前記防水材の最外部が、非接着性のシート材により形成されていることを特徴とする。
【００１５】
また、本発明の請求項５に記載の防水構造は、請求項２に記載の防水構造において、前記防水材の最外部が、前記ホットメルト接着剤よりも溶融温度が高い非接着性のシート材により形成されていることを特徴とする。
【００１６】
また、本発明の請求項６に記載の防水構造は、請求項５に記載の防水構造において、前記防水材は、前記コーナー部の三面を覆うように形成された前記非接着性のシート材と、当該非接着性のシート材と前記パネルとの間に形成された前記ホットメルト接着剤との二層構造で構成されたものであることを特徴とする。
【００１７】
なお、「非接着性」とは、自らは接着性を有しないという意味であり、他の接着剤と接触させても接着性を発現しない、いわゆる「剥離性」というような意味ではない。非接着性のシート材としては、ポリエステル系樹脂、ポリカーボネート系樹脂、ポリアリレート系樹脂、アクリル系樹脂、ポリフェニレンサルファイド系樹脂、ポリスチレン系樹脂、ビニル系樹脂、塩化ビニル系樹脂、ポリイミド系樹脂、エポキシ樹脂、ポリエチレン、ポリプロピレン、ポオリノルボルネン等のポリオレフィン系樹脂などの単層或いは積層体がある。その他、不織布、織布、布、紙、ガラス、金属箔、金属メッシュ等とこれらを含む複合物が挙げられる。
【００１８】
また、上記の非接着性のシート材の中でホットメルト接着剤よりも溶融温度が高い非接着性のシート材としては、ポリエステル系樹脂（ＰＥＴ）、ポリカーボネート系樹脂、ポリスチレン系樹脂、塩化ビニル系樹脂、エポキシ樹脂、ポリエチレン、ポリプロピレン、ポリオレフィン系樹脂などの単層或いは積層体が挙げられる。
【００１９】
また、必要に応じて、シート材の表面にコロナ放電処理、プラズマ処理、ブラスト処理、ケミカルエッチング処理などの易接着処理、帯電防止処理、着色処理などを施してもよい。また、シート材の厚さは、５０〜１５０μｍが好ましい。
【００２０】
また、本発明の請求項７に記載の防水構造の形成方法は、請求項２に記載の防水構造の形成方法であって、前記コーナー部に前記防水材を仮装着して前記防水材の外側から加熱して前記ホットメルト接着剤を溶融させることにより前記防水材を前記コーナー部に接着することを特徴とする。
【００２１】
また、本発明の請求項８に記載の防水構造の形成方法は、請求項７に記載の防水構造の形成方法において、前記コーナー部が金属で形成されており、前記コーナー部に仮装着した前記防水材の外側から電磁誘導加熱により前記コーナー部を発熱させて前記ホットメルト接着剤を溶融させることにより前記防水材を前記コーナー部に接着することを特徴とする。
【００２２】
また、本発明の請求項９に記載の防水材は、パネルのコーナー部を防水する防水材であって、前記防水材は、前記コーナー部の表面または裏面のいずれか一方の面と当該面に隣接する二つの側面とに接着して当該三面を覆うようにホットメルト接着剤から形成された成形品であることを特徴とする。
【００２３】
また、本発明の請求項１０に記載の防水材は、パネルのコーナー部を防水する防水材であって、前記防水材は、前記コーナー部の表面または裏面のいずれか一方の面と当該面に隣接する二つの側面とに接着して当該三面を覆うように形成された非接着性のシート材と、当該非接着性のシート材の前記パネルと接着される側に形成されたホットメルト接着剤との二層構造で構成された成形品であることを特徴とする。
【発明の効果】
【００２４】
本発明の請求項１に記載の防水構造では、防水材として、コーナー部の三面を覆うように形成された成形品を使用した。これによりコーナー部に隙間が生じていても、コーナー部を防水材で覆うことにより、ハンドリングに制約があるシーリング材を使用せずに隙間を塞ぐことが可能になる。よって、本発明の請求項１に記載の防水構造は、パネルのコーナー部の防水作業性を向上することができる。
【００２５】
また、本発明の請求項２に記載の防水構造では、防水材がホットメルト接着剤から形成されるようにした。このため、防水構造を形成するときには、接着剤を別に用意する必要はなく、防水材をコーナー部に仮装着して溶融させれば防水材がコーナー部に接着し、短時間で軟化点以下の温度に戻って硬化する。よって、本発明の請求項２に記載の防水構造は、防水構造の形成に要する作業時間を短縮することができる。
【００２６】
また、本発明の請求項３に記載の防水構造では、防水材が、シーリング材でコーナー部に接着されるようにした。このため、万一、長期間の使用で防水材が劣化してもシーリング材により防水機能を維持することが可能になる。よって、本発明の請求項３に記載の防水構造は、防水構造の形成に要する作業時間を短縮することができる。
【００２７】
本発明の請求項４に記載の防水構造では、防水材の最外部が、非接着性のシート材により形成されるようにした。これにより、防水材の装着時には作業者の手に防水材が接着しないので装着作業を容易に行うことが可能になる。よって、本発明の請求項４に記載の防水構造は、防水構造の形成に要する作業時間を短縮することができる。
【００２８】
本発明の請求項５に記載の防水構造では、防水材の最外部が、ホットメルト接着剤よりも溶融温度が高い非接着性のシート材により形成されるようにした。これにより、ホットメルト接着剤が溶けても防水材の形状はシート材で維持され、防水材はコーナー部の三面を確実に覆うことができる。よって、本発明の請求項５に記載の防水構造は、ホットメルト接着剤を使用してもコーナー部を確実に防水することができる。
【００２９】
本発明の請求項６に記載の防水構造では、防水材が、コーナー部の三面を覆う非接着性のシート材と、当該非接着性のシート材とパネルとの間に形成されたホットメルト接着剤との二層構造で構成されたものとした。これにより、ホットメルト接着剤が溶けても防水材の形状はシート材で維持されるので、防水材は簡単な構成でコーナー部の三面を確実に覆うことができる。よって、本発明の請求項６に記載の防水構造は、ホットメルト接着剤を使用してもコーナー部をコストを抑えつつ確実に防水することができる。
【００３０】
また、本発明の請求項７に記載の防水構造の形成方法は、防水材の外側から加熱することでホットメルト接着剤を溶融させて防水材をコーナー部に接着するようにした。このため、接着剤を別に用意する必要がないので、防水材とコーナー部とを容易に接着させることが可能になる。よって、本発明の請求項７に記載の防水構造の形成方法は、防水構造の形成に要する作業時間を短縮することができる。
【００３１】
また、本発明の請求項８に記載の防水構造の形成方法は、電磁誘導加熱を利用してコーナー部を発熱させることにより、ホットメルト接着剤で形成された防水材を溶融させてコーナー部に接着するようにした。これにより、ドライヤーやアイロン等の外部から加熱する従来の加熱器を利用して防水材を外側から溶融させる場合よりも、防水材とコーナー部との界面を速く接着させることが可能になる。よって、本発明の請求項８に記載の防水構造の形成方法は、防水構造の形成に要する作業時間をさらに短縮することができる。
【００３２】
また、本発明の請求項９に記載の防水材は、コーナー部の三面を覆うようにホットメルト接着剤から形成された成形品を使用した。これによりコーナー部に隙間が生じていても、コーナー部を防水材で覆うことにより、ハンドリングに制約があるシーリング材を使用せずに隙間を塞ぐことが可能になる。よって、本発明の請求項９に記載の防水材は、パネルのコーナー部の防水作業性を向上することができる。
【００３３】
また、本発明の請求項１０に記載の防水材は、コーナー部の三面を覆う非接着性のシート材と、当該非接着性のシート材のパネルと接着される側に形成されたホットメルト接着剤との二層構造で構成された成形品を使用した。このため、ホットメルト接着剤が溶けても防水材の形状はシート材で維持されるので、防水材は簡単な構成でコーナー部の三面を確実に覆うことができる。よって、本発明の請求項１０に記載の防水材は、ホットメルト接着剤を使用してもコーナー部をコストを抑えつつ確実に防水することができる。
【図面の簡単な説明】
【００３４】
【図１】本発明の第１の実施の形態のパネルのコーナー部を中心とした斜視図である。
【図２】同実施の形態のパネルの一部分解斜視図である。
【図３】図１のＡ−Ａ線に沿う断面図である。
【図４】本発明の第２の実施の形態の防水構造の断面図である。
【図５】本発明の第３の実施の形態の防水構造の断面図である。
【図６】本発明の第４の実施の形態の防水構造の断面図である。
【図７】本発明の第５の実施の形態の防水構造の断面図である。
【発明を実施するための形態】
【００３５】
以下、本発明の実施の形態を図にしたがって説明する。
【００３６】
（第１の実施の形態）
図１は、本発明の第１の実施の形態のパネル１のコーナー部１００を中心とした斜視図である。最初にパネル１の構成について説明する。このパネル１は四角形状に形成され、住宅の外壁に使用される。図１では、パネル１の左下のコーナー部１００を示しているが、その他の３つのコーナー部１００においても同様の外観である。
【００３７】
図２は、パネル１の一部分解斜視図である。図１と図２では、パネル１の裏面１ａ側（外壁に取り付ける側）を上側にして示している。
【００３８】
このパネル１は、芯材である平板状の石膏ボード２を中心にして構成されている。石膏ボード２の裏面側には裏鋼板３が貼られている。
【００３９】
裏鋼板３の左右側部から石膏ボード２の左右側面にかけての部分には、それぞれ断面Ｌ字型の第１補強桟４，４（左側のみ図示）が貼られている。
【００４０】
裏鋼板３の上下側部から石膏ボード２の上下側面にかけての部分には、それぞれ断面Ｌ字型の第２補強桟５，５（下側のみ図示）が貼られている。
【００４１】
石膏ボード２の表面（図２では下面側）から裏鋼板３にかけての部分には表鋼板６が八千代折りを利用して折り曲げられて貼られている。この表鋼板６は十字状に形成され、石膏ボード表面被覆部（図示せず）、第１補強桟被覆部６１，６１（左側のみ図示）、第２補強桟被覆部６２，６２（下側のみ図示）、４つの入隅部６３（１つのみ図示）を備えている。
【００４２】
石膏ボード表面被覆部は、石膏ボード２の表面を覆う部分である。第１補強桟被覆部６１，６１は、石膏ボード表面被覆部の左右側端に結合して第１補強桟４，４を覆う部分である。第２補強桟被覆部６２，６２は、石膏ボード表面被覆部の上下側端に結合して第２補強桟５，５を覆う部分である。
【００４３】
各入隅部６３は、第１補強桟被覆部６１の下側部分６１ｂと、第２補強桟被覆部６２の下側部分６２ｂとを結合しており、三角形状に形成されている。
【００４４】
次に、八千代折りを利用した表鋼板６の貼着方法を説明する。最初に、石膏ボード２の表面に石膏ボード表面被覆部を貼る。次に、各入隅部６３を、垂線６３ａを中心にして凹むように折り曲げて重ねる（八千代折り）。次に、第１補強桟被覆部６１，６１をそれぞれＬ字状に折り曲げて第１補強桟４，４を覆って貼る。最後に、第２補強桟被覆部６２，６２をそれぞれＬ字状に折り曲げて第２補強桟５，５を覆って貼る。
【００４５】
これにより、図１に示すように、パネル１の各コーナー部１００では、第１補強桟被覆部６１の上側部分６１ａの端部６１ｃの上に、第２補強桟被覆部６２の上側部分６２ａの端部６２ｃが重なった状態になる。
【００４６】
各コーナー部１００には本発明の防水構造が形成されている。この防水構造は、防水材１０から構成されている。防水材１０は、図３にも示すようにコーナー部１００の裏面１ａと、裏面１ａに隣接する二つの側面（左側面１ｂ、下側面１ｃ（図１参照））とに接着して当該三面１ａ〜１ｃを覆うように断面Ｌ字状に形成された成形品である。図３では、パネル１の断面構造を省略している。以下の説明で使用する図４〜図７においても同様である。
【００４７】
このように本実施の形態では、防水材１０でコーナー部１００を覆うことにより、コーナー部１００の第１補強桟被覆部６１と第２補強桟被覆部６２との間に隙間が生じていても、ハンドリングに制約があるシーリング材を使用せずに隙間を塞ぐことが可能になる。よって、本発明の請求項１に記載の防水構造は、パネル１のコーナー部１００の防水作業性を向上することができる。
【００４８】
また、防水材１０として成形品を使用したことにより、隙間にシーリング材を充填する必要がないので、隙間からシーリング材がはみ出てコーナー部１００が汚くなる事はない。よって、本実施の形態の防水構造および防水材１０は、パネル１の外観品質の低下を抑えることができる。
【００４９】
また、この防水材１０は、ホットメルト接着剤Ａから形成されている。そのため、防水構造を形成するときには、接着剤を別に用意する必要はなく、防水材１０をコーナー部１００に仮装着して防水材１０を溶融させれば防水材１０がコーナー部１００に接着し、短時間（例えば１分以下）で軟化点以下の温度に戻って硬化する。よって、本実施の形態の防水構造および防水構造の形成方法は、防水構造の形成に要する作業時間を短縮することができる。
【００５０】
また、防水構造の具体的な形成方法は、最初にコーナー部１００に防水材１０を仮装着する。次に、防水材１０の外側から電磁誘導加熱によりコーナー部１００を発熱させる。この発熱を利用して防水材１０（ホットメルト接着剤Ａ）を溶融して防水材１０をコーナー部１００に接着する。
【００５１】
したがって、ドライヤーやアイロン等の外部から加熱する従来の加熱器を利用して防水材１０を外側から溶融させる場合よりも、防水材１０とコーナー部１００との界面を速く接着させることが可能になる。よって、本実施の形態の防水構造の形成方法は、防水構造の形成に要する作業時間をさらに短縮することができる。
【００５２】
（第２の実施の形態）
図４は、本発明の第２の実施の形態の防水構造の断面図である。なお、本実施の形態において第１の実施の形態と同様な部分には同じ符号を付し、異なる部分を中心にして説明する。
【００５３】
本実施の形態の防水構造は、防水材２０から構成されている。この防水材２０は、コーナー部１００の三面（裏面１ａ、左側面１ｂ、下側面１ｃ（図１参照））に接着して当該三面１ａ〜１ｃを覆うように断面Ｌ字状に形成された成形品である。
【００５４】
さらに、この防水材２０は、コーナー部１００の三面１ａ〜１ｃを覆うように断面Ｌ字状に形成された非接着性のシート材Ｂと、シート材Ｂのパネル１と接着される側（シート材Ｂとパネル１との間）に形成されたホットメルト接着剤Ａとの二層構造で構成されている。
【００５５】
このシート材Ｂとしては、ＰＥＴ（ポリエチレンテレフタラート）や、ＣＰＰ（無延伸ポリプロピレンフィルム）等のホットメルト接着剤Ａよりも溶融温度が高い合成樹脂で形成されたものが使用される。
【００５６】
この防水材２０を使用して防水構造を形成するには、最初に防水材２０をコーナー部１００に仮装着する。次に、防水材２０の外側から熱を加えてホットメルト接着剤Ａを溶融して防水材２０をコーナー部１００に接着する。
【００５７】
ここで、防水材２０の最外部は、非接着性のシート材Ｂにより形成されている。これにより、防水材２０の装着時には作業者の手に防水材２０が接着しないので装着作業を容易に行うことが可能になる。よって、本実施の形態の防水構造は、防水構造の形成に要する作業時間を短縮することができる。
【００５８】
さらに、このシート材Ｂは、ホットメルト接着剤Ａよりも溶融温度が高いものである。したがって、ホットメルト接着剤Ａが溶けても、防水材２０の形状はシート材Ｂで維持され、防水材２０はコーナー部１００の三面１ａ〜１ｃを確実に覆うことができる。よって、本実施の形態の防水構造および防水材２０は、ホットメルト接着剤Ａを使用してもコーナー部１００を確実に防水することができる。
【００５９】
さらに、防水材２０は、シート材Ｂとホットメルト接着剤Ａとの二層構造で構成されているので、簡単な構成でコーナー部１００の三面１ａ〜１ｃを確実に覆うことができる。よって、本実施の形態の防水構造および防水材２０は、ホットメルト接着剤Ａを使用してもコーナー部１００をコストを抑えつつ確実に防水することができる。その他の作用効果については、第１の実施の形態で説明した通りである。
【００６０】
（第３の実施の形態）
図５は、本発明の第３の実施の形態の防水構造の断面図である。なお、本実施の形態において第１の実施の形態や第２の実施の形態と同様な部分には同じ符号を付し、異なる部分を中心にして説明する。
【００６１】
本実施の形態の防水構造は、コーナー部１００の三面（裏面１ａ、左側面１ｂ、下側面１ｃ（図１参照））に塗布されたシーリング材Ｃと、シーリング材Ｃによりコーナー部１００に接着された防水材１０とを備えている。防水材１０は、第１の実施の形態で説明したようにホットメルト接着剤Ａにより形成されている。
【００６２】
この防水材１０を使用して防水構造を形成するには、最初にコーナー部１００の三面１ａ〜１ｃにシーリング材Ｃを塗布する。次に、防水材１０をコーナー部１００に仮装着してシーリング材Ｃに接着する。最後に、防水材１０に熱を加えて防水材１０を溶融し、防水材１０がシーリング材Ｃを覆うようにしてコーナー部１００に接着する。
【００６３】
このように本実施の形態の防水構造では、防水材１０の内側にシーリング材Ｃが配置されているので、万一、長期間の使用で防水材１０が劣化してもシーリング材Ｃにより防水機能を維持することが可能になる。よって、本実施の形態の防水構造は、防水の耐久性を上げることができる。その他の作用効果については、第１の実施の形態で説明した通りである。
【００６４】
（第４の実施の形態）
図６は、本発明の第４の実施の形態の防水構造の断面図である。なお、本実施の形態において第１の実施の形態〜第３の実施の形態と同様な部分には同じ符号を付し、異なる部分を中心にして説明する。
【００６５】
本実施の形態の防水構造は、コーナー部１００の三面（裏面１ａ、左側面１ｂ、下側面１ｃ（図１参照））に塗布されたシーリング材Ｃと、シーリング材Ｃに接着された防水材２０とを備えている。
【００６６】
この防水材２０は、第２の実施の形態で説明したように、シート材Ｂと、シート材Ｂのパネル１と接着される側（シート材Ｂとパネル１との間）に形成されたホットメルト接着剤Ａとの二層構造で構成されている。
【００６７】
この防水材２０を使用して防水構造を形成するには、最初にコーナー部１００の三面１ａ〜１ｃにシーリング材Ｃを塗布する。次に、防水材２０をコーナー部１００に仮装着してシーリング材Ｃに接着する。最後に、防水材２０に熱を加えてホットメルト接着剤Ａを溶融し、防水材２０がシーリング材Ｃを覆うようにしてコーナー部１００に接着する。
【００６８】
第２の実施の形態で説明したように防水材２０の最外部はホットメルト接着剤Ａよりも溶融温度が高いシート材Ｂで形成されているため、ホットメルト接着剤Ａが溶けても防水材２０の形状は維持され、コーナー部１００の三面１ａ〜１ｃを確実に覆うことができる。よって、本実施の形態の防水構造および防水材２０は、ホットメルト接着剤Ａを使用してもコーナー部１００を確実に防水することができる。
【００６９】
さらに本実施の形態の防水構造では、防水材２０の内側にシーリング材Ｃが配置されているので、第３の実施の形態で説明したように、万一、長期間の使用で防水材２０が劣化してもシーリング材Ｃにより防水機能を維持することが可能になる。よって、本実施の形態の防水構造は、防水の耐久性を上げることができる。その他の作用効果については第１の実施の形態や第２の実施の形態で説明した通りである。
【００７０】
（第５の実施の形態）
図７は、本発明の第５の実施の形態の防水構造の断面図である。なお、本実施の形態において第１の実施の形態〜第４の実施の形態と同様な部分には同じ符号を付し、異なる部分を中心にして説明する。
【００７１】
本実施の形態の防水構造は、コーナー部１００の三面（裏面１ａ、左側面１ｂ、下側面１ｃ（図１参照））に塗布されたシーリング材Ｃと、シーリング材Ｃに接着された防水材５０とを備えている。
【００７２】
防水材５０は、コーナー部１００の三面１ａ〜１ｃを覆うように断面Ｌ字状に形成された成形品（シート材Ｂ）である。
【００７３】
この防水材５０を使用して防水構造を形成するには、最初にコーナー部１００の三面１ａ〜１ｃにシーリング材Ｃを塗布する。次に、防水材５０をコーナー部１００に仮装着してシーリング材Ｃに接着することによりコーナー部１００に接着する。
【００７４】
このように本実施の形態の防水構造では、防水材５０の内側にシーリング材Ｃが配置されているので、万一、長期間の使用で防水材５０が劣化してもシーリング材Ｃにより防水機能を維持することが可能になり、防水の耐久性を上げることができる。その他の作用効果については、第１の実施の形態や第２の実施の形態で説明した通りである。
【００７５】
なお、本実施の形態では、防水材５０（シート材Ｂ）を形成する合成樹脂として、ホットメルト接着剤Ａよりも溶融温度が高い合成樹脂を使用した。しかし、本実施の形態ではホットメルト接着剤Ａを使用していないので、必ずしもホットメルト接着剤Ａよりも溶融温度が高い合成樹脂を使用しなくても良い。
【００７６】
以上、本発明にかかる実施の形態を例示したが、これらの実施の形態は本発明の内容を限定するものではない。また、本発明の請求項の範囲を逸脱しない範囲であれば、各種の変更等は可能である。
【００７７】
例えば、上記の各実施の形態では、四角形状のパネル１に本発明を適用した例を説明したが、防水構造を適用するパネルの形状は、必ずしも四角形状に限定しなくても良い。
【００７８】
また、本発明が適用されているコーナー部１００は、十字状に形成された金属板（表鋼板６）の各側部をＬ字状に折り曲げて八千代折りで隣接する端部を重ねることで形成されているが、このように形成されていないコーナー部でも本発明を適用することは可能である。
【００７９】
また、防水材は、コーナー部１００の裏面１ａ、左側面１ｂ、下側面１ｃを覆うようにしたが、裏面１ａの代わりに表面１ｄ（図３〜図７参照）を覆うようにしても良い。
【産業上の利用可能性】
【００８０】
以上説明したように本発明では、パネルのコーナー部を容易に防水することができ、且つ、パネルの外観品質の低下を抑えることができる。したがって、本発明を、パネルの防水構造に係る技術分野で十分に利用することができる。
【符号の説明】
【００８１】
１    パネル
１ａ    裏面
１ｂ    左側面
１ｃ    下側面
１ｄ    表面
１０    防水材
２０    防水材
５０    防水材
１００    コーナー部
Ａ    ホットメルト接着剤
Ｂ    シート材
Ｃ    シーリング材
【図１】
2015074904.tif 000003
【図２】
2015074904.tif 000004
【図３】
2015074904.tif 000005
【図４】
2015074904.tif 000006
【図５】
2015074904.tif 000007
【図６】
2015074904.tif 000008
【図７】
2015074904.tif 000009